(57)【特許請求の範囲】
【請求項１】
密閉型の容器本体と、
前記容器本体の上部を貫通して設けられ、冷媒回路の冷媒を前記容器本体内に流入させる入口管と、
前記容器本体の下部を貫通して設けられ、前記容器本体内の冷媒を前記冷媒回路へ流出させる出口管と、
前記容器本体の内部の上下を仕切るように設けられ、前記入口管からの冷媒を通過させるフィルターとを備え、
前記フィルターは、上方が開放された凹形状に形成され、該凹みの中央部が前記入口管と対向する第１フィルター部と、前記第１フィルター部の上端部から外方へ折り曲げられた第２フィルター部とで構成され、
前記第１フィルター部の中央部を除く部分が、前記冷媒に混入された異物を捕捉する網目状に形成され、
前記第２フィルター部は、前記第１フィルター部の網目よりも粗い網目状、あるいは複数の穴を有する板状に形成されていることを特徴とするアキュムレーター。
【請求項２】
前記第１フィルター部の前記出口管側の面に、当該第１フィルター部により捕捉された異物を吸着する永久磁石を複数配置したことを特徴とする請求項１記載のアキュムレーター。
【請求項３】
前記第１フィルター部の前記入口管側の中央部に、当該入口管からの冷媒を放射状に拡散させる円錐形状の冷媒拡散部を設けたことを特徴とする請求項１又は２記載のアキュムレーター。
【発明の詳細な説明】
【技術分野】
【０００１】
本発明は、例えば、空気調和機の冷媒回路上に設置されるアキュムレーターに関するものである。
【背景技術】
【０００２】
従来のアキュムレーターには、冷媒に混入された異物を捕捉する網目状のフィルターを備えたものがある。例えば、網状体とバッフル板とで構成されたフィルターを備えたアキュムレーターがある（例えば、特許文献１参照）。また、容器本体内に設けられた冷媒の出口管と下部鏡板との間に上下２枚のフィルターを備えたアキュムレーターがある（例えば、特許文献２参照）。この２枚のフィルターの間には、球状永久磁石が均一に分布するように配置されている。
【先行技術文献】
【特許文献】
【０００３】
【特許文献１】特開平２−９７８６７号公報（第４頁、第３図）
【特許文献２】特開平１１−１４１９８号公報（第４頁、図３）
【発明の概要】
【発明が解決しようとする課題】
【０００４】
前述した従来のフィルターは、網目の大きさが均一となっている。フィルターの網目を細かくした場合には、捕捉した異物によってフィルターの網目が目詰まりとなり、冷媒の流れを妨げる。また、フィルターの網目を粗くした場合には、異物を十分に除去できずに圧縮機の内部に異物が流れ込んで圧縮機の信頼性を低下させる恐れがある。
【０００５】
本発明は、前述のような課題を解決するためになされたもので、冷媒に混入された異物を捕捉しても、冷媒の流れを妨げることなく通過させることができるフィルターを備えたアキュムレーターを提供することを目的とする。
【課題を解決するための手段】
【０００６】
本発明に係るアキュムレーターは、密閉型の容器本体と、容器本体の上部を貫通して設けられ、冷媒回路の冷媒を容器本体内に流入させる入口管と、容器本体の下部を貫通して設けられ、容器本体内の冷媒を冷媒回路へ流出させる出口管と、容器本体の内部の上下を仕切るように設けられ、入口管からの冷媒を通過させるフィルターとを備え、フィルターは、上方が開放された凹形状に形成され、該凹みの中央部が入口管と対向する第１フィルター部と、第１フィルター部の上端部から外方へ折り曲げられた第２フィルター部とで構成され、第１フィルター部の中央部を除く部分が、冷媒に混入された異物を捕捉する網目状に形成され、第２フィルター部は、第１フィルター部の網目よりも粗い網目状、あるいは複数の穴を有する板状に形成されている。
【発明の効果】
【０００７】
本発明によれば、第１フィルター部は、凹みの中央部が入口管と対向し、その中央部を除く部分が冷媒に混入された異物を捕捉する網目状に形成されている。この構成により、入口管から容器本体内に流入した冷媒は、第１フィルター部に流れ込んで通過するため、冷媒に混入された異物は、第１フィルター部により捕捉され徐々に溜まる。第１フィルター部が異物で覆われて冷媒が流れ難くなると、その冷媒は徐々に第２フィルター部へ流れる。これにより、冷媒回路を循環する冷媒が容器本体内で流れ難くなるということがなくなり、圧縮機内への異物の流入を抑えることができ、圧縮機の信頼性の向上を図ることができる。
【図面の簡単な説明】
【０００８】
【図１】本発明の実施の形態に係るアキュムレーターの概略構成を示す縦断面図。
【図２】図１に示すフィルターの上面図。
【図３】図１に示すフィルターの下面図。
【図４】図１のフィルターによって捕捉される異物が少ないときの冷媒の流れを示すアキュムレーターの縦断面図。
【図５】図１のフィルターによって捕捉される異物が多いときの冷媒の流れを示すアキュムレーターの縦断面図。
【発明を実施するための形態】
【０００９】
以下、本発明に係るアキュムレーターの実施の形態を説明する。
図１は本発明の実施の形態に係るアキュムレーターの概略構成を示す縦断面図、図２は図１に示すフィルターの上面図、図３は図１に示すフィルターの下面図である。
【００１０】
本実施の形態に係るアキュムレーターは、図１に示すように、密閉型の容器本体１と、容器本体１の上部を貫通して設けられ、冷媒回路の冷媒を容器本体１内に流入させる入口管５と、容器本体１の下部を貫通して設けられ、容器本体１内の冷媒を冷媒回路へ流出させる出口管６と、容器本体１の内部の上下を仕切るように設けられ、入口管５からの冷媒を通過させるフィルター７と、フィルター７に設けられた複数の永久磁石９ａ、９ｂとを備えている。
【００１１】
容器本体１は、例えば、円筒形状の胴部２と、胴部２の上部開口を密閉する上部鏡板３と、胴部２の下部開口を密閉する下部鏡板４とで構成されている。入口管５は、例えば冷媒回路上の四方弁に冷媒配管を介して接続され、出口管６は、冷媒回路上の圧縮機の吸入口に冷媒配管を介して接続される。この出口管６には、容器本体１の下部鏡板４に溜まるオイルを圧縮機に戻すためのオイル戻し穴６ａが設けられている。
【００１２】
フィルター７は、金属からなり、図２及び図３に示すように円形状に形成されている。このフィルター７は、上方が開放された凹形状に形成され，その凹みの中央部が入口管５と対向する第１フィルター部７ａと、第１フィルター部７ａの上端部から外方へ水平に折り曲げられた第２フィルター部７ｂとで構成されている。第１フィルター部７ａは、中央部を除く部分が冷媒に混入された異物を捕捉する網目状に形成されている。第２フィルター部７ｂは、第１フィルター部７ａの網目よりも粗い網目状に形成されている。前述の異物は、例えば圧縮機の製造時に内部に残された鉄粉、鉄の切削粉などである。
【００１３】
第１フィルター部７ａの入口管５側の中央部（網目のない部分）には、入口管５からの冷媒を放射状に拡散させる冷媒拡散部８が設けられている。冷媒拡散部８は、金属からなり、円錐形状に形成されている。冷媒拡散部８は、第１フィルター部７ａの中央部に例えばロウ付により固着されている。この冷媒拡散部８により、入口管５からの冷媒が傾斜面８ａに沿って放射状に拡散される。
【００１４】
複数の永久磁石９ａ、９ｂは、第１フィルター部７ａの出口管６側の面に配置され、第１フィルター部７ａにより捕捉された異物を吸着する。これらの永久磁石９ａ、９ｂは、例えば、ロウ付けによって取り付けられている。永久磁石９ａは、第１フィルター部７ａを形成する凹形状の底部下面に周方向に複数配置され、永久磁石９ｂは、その凹形状の側壁部の外面に、永久磁石９ａと同一個数配置されている。
【００１５】
つまり、永久磁石９ａ、９ｂは、図３に示すように、フィルター７の軸心を中心として放射状に配置されている。永久磁石９ａ、９ｂは、それぞれ磁界が互いに干渉する磁力を有している。これにより、異物である鉄粉などを第１フィルター部７ａ上に吸着させることができる。なお、永久磁石９ａ、９ｂをそれぞれ同一中心上に配置しているが、永久磁石９ａを永久磁石９ｂに対して周方向にずらしても良い。
【００１６】
前記のように構成されたアキュムレーターにおけるフィルター７の作用について、図４及び図５を用いて説明する。
図４は図１のフィルターによって捕捉される異物が少ないときの冷媒の流れを示すアキュムレーターの縦断面図、図５は図１のフィルターによって捕捉される異物が多いときの冷媒の流れを示すアキュムレーターの縦断面図である。
【００１７】
圧縮機の最初の駆動により、冷媒回路の冷媒が入口管５から容器本体１内に流入すると、その冷媒は、図４に示す矢印（破線）のように、冷媒拡散部８により放射状に拡散され、傾斜面８ａに沿って下方に流れ、第１フィルター部７ａの底部及び側壁部の細かい網目を通過し、容器本体１の下部鏡板４へと流れ落ちる。この時、冷媒に混入された異物は、第１フィルター部７ａの細かい網目によって捕捉され、捕捉された異物は、複数の永久磁石９ａ、９ｂに吸着する。
【００１８】
入口管５からの冷媒は、異物の吸着により第１フィルター部７ａの細かい網目が塞がれるにつれ、第１フィルター部７ａ上に溜まり、第１フィルター部７ａから溢れたときには、図５に示す矢印（破線）のように、第２フィルター部７ｂの粗い網目を通過し、容器本体１の下部鏡板４へと流れ落ちる。
【００１９】
以上のように実施の形態によれば、フィルター７は、上方が開放された凹形状に形成され、その凹みの中央部が入口管５と対向する第１フィルター部７ａと、第１フィルター部７ａの上端部から外方へ水平に折り曲げられた第２フィルター部７ｂとで構成されている。このため、入口管５から流入する最初の冷媒は、冷媒に混入された異物を捕捉する網目状の第１フィルター部７ａに流れ込んで通過するため、冷媒に混入された異物は、第１フィルター部７ａにより捕捉され徐々に溜まる。そして、第１フィルター部７ａが異物で覆われて冷媒が流れ難くなると、その冷媒は徐々に第２フィルター部７ｂへ流れる。これにより、冷媒回路を循環する冷媒が容器本体１内で流れ難くなるということがなくなり、圧縮機内への異物の流入を抑えることができ、圧縮機の信頼性の向上を図ることができる。
【００２０】
また、第１フィルター部７ａの中央部に円錐形状の冷媒拡散部８を設けているので、第１フィルター部７ａと永久磁石９ａ、９ｂとで捕捉して吸着した異物を飛散させるようなことがなくなる。このため、出口管６から冷媒回路へ流出する冷媒に異物が混入することを抑えることができる。
【００２１】
なお、実施の形態では、第１フィルター部７ａの中央部に冷媒拡散部８を設けたが、冷媒拡散部８を取り外しても良い。この場合、入口管５から流入する最初の冷媒は異物と共に放射状に飛散するが、その異物は第１フィルター部７ａの側壁部により捕捉されて吸着される。そして、異物により第１フィルター部７ａの網目が覆われて冷媒が流れ難くなると、その冷媒は徐々に第２フィルター部７ｂへ流れて通過する。この構成の場合でも、冷媒回路を循環する冷媒が容器本体１内で流れ難くなるということがなくなり、圧縮機内への異物の流入を抑えることができ、圧縮機の信頼性の向上を図ることができる。
【００２２】
また、実施の形態では、第２フィルター部７ｂを第１フィルター部７ａの網目よりも粗い網目状としたが、これに代えて、第２フィルター部７ｂを複数の穴を有する板状、即ち多孔板としてもよい。この第２フィルター部７ｂは、第１フィルター部７ａの上端部にロウ付けにより連結されている。この構成により、異物により第１フィルター部７ａの網目が覆われて冷媒が流れ難くなったときには、その冷媒は徐々に第２フィルター部７ｂへ流れて通過するので、冷媒回路を循環する冷媒が容器本体１内で流れ難くなるということがなくなり、圧縮機内への異物の流入を抑えることができ、圧縮機の信頼性の向上を図ることができる。
【符号の説明】
【００２３】
１  容器本体、２  胴部、３  上部鏡板、４  下部鏡板、５  入口管、６  出口管、６ａ  オイル戻し穴、７  フィルター、７ａ  第１フィルター部、７ｂ  第２フィルター部、８  冷媒拡散部、８ａ  傾斜面、９ａ、９ｂ  永久磁石。
【図１】
0005858974.tif 000002
【図２】
0005858974.tif 000003
【図３】
0005858974.tif 000004
【図４】
0005858974.tif 000005
【図５】
0005858974.tif 000006